(57)【要約】【課題】異なるエンジンを搭載した各車両に対して共通して搭載することができる車両の始動制御装置を提供する。【解決手段】パワーマネージメントＥＣＵは、エンジンが完爆したか否かの判定に用いる完爆判定回転数がエンジンの冷却水温度に対して定められた水温マップを、エンジンに関するエンジン情報に対応付けてあらかじめ記憶し、エンジン始動用スイッチからのエンジン始動指示を表す信号を検出すると（ステップＳ１）クランキングを開始し（ステップＳ２）、エンジン情報（ステップＳ４で取得）に対応付けられた水温マップ（ステップＳ５で選択）において始動時の冷却水温度に対して定められた完爆判定回転数ＮＥを決定し（ステップＳ６）、エンジン回転数（ステップＳ７で検出）が完爆判定回転数ＮＥに達すると（ステップＳ８でＹＥＳ）、クランキングを終了する（ステップＳ９）。【選択図】図４
2008280869.tif 000002
【特許請求の範囲】
【請求項１】
車両に搭載されたエンジンを始動させるエンジン始動用スイッチからのエンジン始動指示を表す信号を検出する操作検出手段と、
前記エンジンのエンジン回転数を検出する回転数検出手段と、
前記エンジンの冷却水温度を検出する水温検出手段と、
前記エンジンが完爆したか否かの判定に用いる完爆判定回転数が前記冷却水温度に対して定められた水温マップをあらかじめ記憶した記憶手段と、
前記回転数検出手段によって検出された前記エンジン回転数が、前記水温検出手段によって前記エンジンの始動時に検出された冷却水温度に対して前記水温マップにおいて定められた完爆判定回転数に達した場合に、前記エンジンが完爆状態であると判定する完爆判定手段と、
前記操作検出手段によって前記エンジン始動指示を表す信号が検出されてから、前記完爆判定手段によって前記エンジンが完爆状態であると判定されるまで、前記エンジンのクランキングを実行するようスタータモータを制御するスタータモータ制御手段とを備えた車両の始動制御装置において、
前記エンジンに関するエンジン情報を取得する情報取得手段をさらに備え、
前記記憶手段が、複数の前記エンジン情報にそれぞれ対応付けられた複数の前記水温マップをあらかじめ記憶し、
前記完爆判定手段が、前記判定の際に用いる水温マップを、前記情報取得手段によって取得されたエンジン情報に応じて選択することを特徴とする車両の始動制御装置。
【請求項２】
前記記憶手段が、前記複数の水温マップにおいて前記冷却水温度に対して定められた完爆判定回転数よりもそれぞれ高い完爆判定回転数が定められた他の複数の水温マップを、前記複数のエンジン情報にそれぞれ対応付けてさらに記憶し、
前記操作検出手段が、前記始動指示を表す信号を所定時間以上検出した場合、
前記完爆判定手段が、前記判定の際に用いる水温マップを、前記情報取得手段によって取得されたエンジン情報に応じて前記他の複数の水温マップの中から選択し、
前記スタータモータ制御手段が、前記始動指示を表す信号が検出されてから、前記完爆判定手段によって前記エンジンが完爆状態であると判定されるか、前記始動指示を表す信号の検出が終了するまで、前記エンジンのクランキングを実行するよう前記スタータモータを制御することを特徴とする請求項１に記載の車両の始動制御装置。
【発明の詳細な説明】
【技術分野】
【０００１】
本発明は、車両の始動制御装置に関し、特に、クランキングホールド制御を行う車両の始動制御装置に関する。
【背景技術】
【０００２】
一般に、エンジンの始動性能向上のため、運転者によって始動操作がなされるとスタータモータに通電させ、スタータモータによってエンジンのクランキングを開始させた後、エンジン回転数が所定の完爆判定回転数に達するまでクランキングを継続するクランキングホールド制御を行う車両の始動制御装置が知られている。
【０００３】
従来、この種の車両の始動制御装置では、始動操作はプッシュ式スタートボタン（以下、単にスタートボタンという）によってなされることが多く、スタートボタンがプッシュされると、上述のクランキングホールド制御を行うようになっている。
【０００４】
このような所定の完爆判定回転数を用いて完爆判定を行う車両の始動制御装置としては、エンジンがクランキング状態にあるか否かを判別するクランキング判別手段と、エンジンが完爆したか否かを判別する完爆判別手段と、エンジン冷却水温度を検出するエンジン温度検出手段と、エンジン回転数を検出するエンジン回転数検出手段と、検出されたエンジン冷却水温度およびエンジン回転数に応じて基本始動燃料噴射量を決定する基本噴射量決定手段と、クランキング判別手段によりクランキング状態が終了したと判別された時点から、完爆判別手段によりエンジンが完爆したと判別されるまで、基本始動燃料噴射量を経過時間に応じて減量する減量制御手段とを備え、完爆判別手段が、エンジン回転数が所定の完爆判定回転数に達したときにエンジンが完爆したと判別するとともに、この所定の完爆判定回転数をエンジン冷却水温度が低いほど大きくなるように決定するもの（例えば、特許文献１参照）が提案されている。
【０００５】
この特許文献１に記載の車両の始動制御装置は、エンジンの冷却水温度と所定の完爆判定回転数との関係を示す水温マップを予め記憶しており、この水温マップに基づいて所定の完爆判定回転数が決定されるので、始動時のエンジンの冷却水温度に応じて適切に完爆判定を行うことができる。
【特許文献１】特開２００１−１７３４９０号公報
【発明の開示】
【発明が解決しようとする課題】
【０００６】
しかしながら、上述のような従来の車両の始動制御装置では、エンジン毎に完爆の特性が異なり、完爆の特性に適合する条件でエンジンの冷却水温度に対する完爆判定回転数が設定された水温マップが必要となるため、エンジン毎に異なる車両の始動制御装置が開発されていた。このため、多大な開発人員を要するとともに開発年数が長くなり開発コストを増大させるといった問題があった。また、エンジン毎に開発された車両の始動制御装置毎に品質を維持する必要があるため、品質検査の作業が大きな負担となっているという問題があった。
【０００７】
本発明は、上述のような従来の問題を解決するためになされたもので、異なるエンジンを搭載した各車両に対して共通して搭載可能な車両の始動制御装置を提供することを目的とする。
【課題を解決するための手段】
【０００８】
本発明に係る車両の始動制御装置は、上記目的達成のため、（１）車両に搭載されたエンジンを始動させるエンジン始動用スイッチからのエンジン始動指示を表す信号を検出する操作検出手段と、前記エンジンのエンジン回転数を検出する回転数検出手段と、前記エンジンの冷却水温度を検出する水温検出手段と、前記エンジンが完爆したか否かの判定に用いる完爆判定回転数が前記冷却水温度に対して定められた水温マップをあらかじめ記憶した記憶手段と、前記回転数検出手段によって検出された前記エンジン回転数が、前記水温検出手段によって前記エンジンの始動時に検出された冷却水温度に対して前記水温マップにおいて定められた完爆判定回転数に達した場合に、前記エンジンが完爆状態であると判定する完爆判定手段と、前記操作検出手段によって前記エンジン始動指示を表す信号が検出されてから、前記完爆判定手段によって前記エンジンが完爆状態であると判定されるまで、前記エンジンのクランキングを実行するようスタータモータを制御するスタータモータ制御手段とを備えた車両の始動制御装置において、前記エンジンに関するエンジン情報を取得する情報取得手段をさらに備え、前記記憶手段が、複数の前記エンジン情報にそれぞれ対応付けられた複数の前記水温マップをあらかじめ記憶し、前記完爆判定手段が、前記判定の際に用いる水温マップを、前記情報取得手段によって取得されたエンジン情報に応じて選択するよう構成する。
【０００９】
この構成により、本発明に係る車両の始動制御装置は、複数のエンジン情報に対応付けてあらかじめ記憶した複数の水温マップのうち、車両に搭載されたエンジンのエンジン情報に対応付けられた水温マップを用いて完爆の判定を行うので、異なるエンジンを搭載した各車両に対して共通して搭載することができる。
【００１０】
本発明に係る車両の始動制御装置は、上記（１）に記載の車両の始動制御装置において、（２）前記記憶手段が、前記複数の水温マップにおいて前記冷却水温度に対して定められた完爆判定回転数よりもそれぞれ高い完爆判定回転数が定められた他の複数の水温マップを、前記複数のエンジン情報にそれぞれ対応付けてさらに記憶し、前記操作検出手段が、前記始動指示を表す信号を所定時間以上検出した場合、前記完爆判定手段が、前記判定の際に用いる水温マップを、前記情報取得手段によって取得されたエンジン情報に応じて前記他の複数の水温マップの中から選択し、前記スタータモータ制御手段が、前記始動指示を表す信号が検出されてから、前記完爆判定手段によって前記エンジンが完爆状態であると判定されるか、前記始動指示を表す信号の検出が終了するまで、前記エンジンのクランキングを実行するよう前記スタータモータを制御するよう構成する。
【００１１】
この構成により、本発明に係る車両の始動制御装置は、運転者による始動指示の操作が継続してなされた場合、通常より高く設定された完爆判定回転数にエンジン回転数が達した時か、運転者によってエンジンが完爆したと判断されたことにより始動指示の操作が終了した時にクランキングを終了するので、エンジンが完全に完爆したことを適切に判定でき、粗悪燃料等によりエンジンがかかりにくい場合に効果的である。
【発明の効果】
【００１２】
本発明によれば、エンジン情報に対応付けて記憶してある複数の水温マップのうち、車両に搭載されたエンジンのエンジン情報に対応付けられた水温マップを選択して完爆の判定を行うことができ、異なるエンジンを搭載した各車両に対して共通して搭載することができる車両の始動制御装置を提供することができる。
【発明を実施するための最良の形態】
【００１３】
以下、本発明の実施の形態について、図面を参照して説明する。
【００１４】
図１は、本発明の実施の形態に係る車両の始動制御装置を構成するパワーマネージメントＥＣＵを搭載した車両を模式的に示す概略構成図である。
【００１５】
まず、構成について説明する。
【００１６】
図１に示すように、この車両は、エンジン１のクランキングを実行するスタータモータ１１と、エンジン１を始動させるために運転者によって操作されるスタートボタン１２と、ブレーキが踏み込まれているか否かを検出するブレーキセンサ１３と、エンジン１の回転数を検知する回転数センサ１４と、エンジン１の冷却水温度を検出する水温センサ１５と、エンジン１に対する制御を行うエンジンＥＣＵ（Electronic Control Unit）２０と、エンジン１の始動制御等を行うパワーマネージメントＥＣＵ３０とを備えている。
【００１７】
スタータモータ１１は、例えばエンジン１のフライホイル１ｗの外周部に形成された、図示していない外歯に離脱可能に噛合する歯付の出力軸１１ａを有しており、フライホイル１ｗに連結されたエンジン１内のクランク軸１ｃ及びこれに連動する各動弁機構やポンプ等を動作させることができる。
【００１８】
スタートボタン１２は、例えばモーメンタリスイッチによって構成され、運転者によりプッシュ操作（押下）される操作部１２ａと、接点部１２ｂとを有しており、操作部１２ａが押下されている間、オン状態を表す信号を出力するようになっている。スタートボタン１２は、本発明におけるエンジン始動用スイッチを構成する。
【００１９】
ブレーキセンサ１３は、車両に搭載されたブレーキペダルが運転者により操作されると、ブレーキペダルが踏み込まれたことを表すブレーキオン信号を出力するようになっている。
【００２０】
回転数センサ１４は、エンジン１のクランク軸１ｃの回転を所定角度単位で検出するクランク角センサで構成されており、エンジン回転数を表す信号を出力するようになっている。
【００２１】
水温センサ１５は、温度変化に対して抵抗が変化する検出素子によって構成され、エンジン１の内部に設けられた冷却水通路を流通する冷却水の温度（以下、エンジン水温という）を表す信号を出力するようになっている。
【００２２】
エンジンＥＣＵ２０は、ＣＰＵ（Central Processing Unit）２１、ＲＯＭ（Read Only Memory）２２、ＲＡＭ（Random Access Memory）２３、ＣＡＮ（Controller Area Network）通信等の車載ＬＡＮ（Local Area Network）を介した通信を行うためのネットワークインタフェース回路２４および各種信号が入出力される入力インタフェース回路２５および出力インタフェース回路２６を備えたマイクロコンピュータによって構成されている。
【００２３】
エンジンＥＣＵ２０は、後述するパワーマネージメントＥＣＵ３０によって通電されると、ＣＰＵ２１が、ＲＡＭ２３の一時記憶機能を利用しながらＲＯＭ２２にあらかじめ記憶されたエンジン制御プログラムに従って信号処理を行うことにより、最適なエンジン制御を実行するようになっている。
【００２４】
エンジンＥＣＵ２０のＲＯＭ２２には、エンジン制御プログラムに加えて、エンジン１の型式や仕様等、エンジン１に関するエンジン情報があらかじめ記憶されている。このエンジン情報は、ＣＰＵ２１によってネットワークインタフェース回路２４を介してパワーマネージメントＥＣＵ３０に出力されるようになっている。ここで、本発明におけるエンジン情報は、エンジンを識別できるものであれば、これらに限らず、どのようなものを用いてもよい。また、このエンジン情報があらかじめ記憶される記憶媒体は、始動制御装置の外部の記憶媒体であればよく、エンジンＥＣＵ２０のＲＯＭ２２に限定されない。
【００２５】
エンジンＥＣＵ２０の入力インタフェース回路２５には、回転数センサ１４および水温センサ１５が接続され、これらのセンサから出力される信号が入力されるようになっている。また、回転数センサ１４から入力された信号は、ＣＰＵ２１によって出力インタフェース回路２６を介してパワーマネージメントＥＣＵ３０に出力され、水温センサ１５から入力された信号は、ＣＰＵ２１によってネットワークインタフェース回路２４を介してパワーマネージメントＥＣＵ３０に出力されるようになっている。
【００２６】
パワーマネージメントＥＣＵ３０は、ＣＰＵ３１、ＲＯＭ３２、ＲＡＭ３３、ＣＡＮ通信等の車載ＬＡＮを介した通信を行うためのネットワークインタフェース回路３４、各種信号が入出力される入力インタフェース回路３５および出力インタフェース回路３６を備えたマイクロコンピュータによって構成されている。
【００２７】
パワーマネージメントＥＣＵ３０は、ニッケル水素等の二次電池からなるバッテリ（図中ではプラス端子を「＋Ｂ」と示し、詳細は図示していない）に接続され、常にバッテリからの電力供給を受けて動作可能になっている。ＣＰＵ３１は、ＲＡＭ３３の一時記憶機能を利用しながらＲＯＭ３２にあらかじめ記憶されたプログラムに従って動作することにより、スタートボタン１２からの操作に応じた電源切替制御、エンジン１に対する始動制御を最適に行うようになっている。
【００２８】
ネットワークインタフェース回路３４には、エンジンＥＣＵ２０が接続されており、エンジンＥＣＵ２０から車載ＬＡＮを介して出力されるエンジン１のエンジン情報およびエンジン水温を表す信号が入力されるようになっている。
【００２９】
入力インタフェース回路３５には、スタートボタン１２、ブレーキセンサ１３およびエンジンＥＣＵ２０が接続され、スタートボタン１２のオン状態を表す信号、ブレーキオン信号およびエンジン回転数を表す信号が入力されるようになっている。
【００３０】
出力インタフェース回路３６には、エンジンＥＣＵ２０への通電を制御するエンジンＥＣＵ用リレースイッチ回路４１、スタータモータ１１への通電を制御するスタータモータ用リレースイッチ回路４２、および、車両に搭載された車載オーディオやナビゲーション装置等のアクセサリ機器への通電を制御する図示しないアクセサリ用リレースイッチ回路が接続されている。
【００３１】
リレースイッチ回路４１、４２はパワーマネージメントＥＣＵ３０により励磁されるリレーコイル部と、リレーコイル部が励磁されたときに閉じてオンとなる接点部とをそれぞれ有している。
【００３２】
また、スタータモータ用リレースイッチ回路４２のリレーコイル部は、シフトレバーがニュートラルまたはパーキングの状態でオン状態となるニュートラルスイッチ４３を介して出力インタフェース回路３６に接続されており、シフトレバーがニュートラルおよびパーキング以外の状態では、リレーコイル部が励磁されないようになっている。
【００３３】
パワーマネージメントＥＣＵ３０のＲＯＭ３２は、後述する複数の水温マップを複数のエンジン情報にそれぞれ対応付けてあらかじめ記憶しており、本発明における記憶手段を構成している。
【００３４】
パワーマネージメントＥＣＵ３０のＣＰＵ３１は、スタートボタン１２からのオン状態を表す信号を所定時間（例えば３秒等）以上検出すると、スタートボタン１２が長押しされたと判断し、スタートボタン１２からのオン状態を表す信号の検出が所定時間未満で終了すると、スタートボタン１２が短押しされたと判断するようになっている。
【００３５】
パワーマネージメントＥＣＵ３０のＣＰＵ３１は、スタートボタン１２およびブレーキセンサ１３からの出力に基づいて、バッテリからの電力の供給状態を切り替える電源切替制御を行うようになっている。
【００３６】
図２は、パワーマネージメントＥＣＵ３０の電源切替制御を説明する状態遷移図である。
【００３７】
図２に示すように、パワーマネージメントＥＣＵ３０のＣＰＵ３１は、バッテリからの電力の供給状態を、車両に搭載された他の電気負荷機器に電力を供給しない電源オフ（Ｊ１）、アクセサリ機器に電力を供給するアクセサリオン（Ｊ２）、アクセサリ機器に加えてエンジンＥＣＵを含むその他の各電気負荷機器に電力を供給するイグニッションオン（Ｊ３）、および、イグニッションオンで電力が供給される機器に加えてスタータモータ１１に電力を供給するエンジンスタート（Ｊ４）の何れかの状態に切り替えるようになっている。
【００３８】
具体的には、ＣＰＵ３１は、図２に実線の矢印で示すように、電源オフ（Ｊ１）でスタートボタン１２が短押しされるとアクセサリオン（Ｊ２）に切り替え、アクセサリオン（Ｊ２）でスタートボタン１２が短押しされるとイグニッションオン（Ｊ３）に切り替え、イグニッションオン（Ｊ３）でスタートボタン１２が短押しされると再度電源オフ（Ｊ１）に切り替えるようになっている。
【００３９】
また、ＣＰＵ３１は、図２に破線の矢印で示すように、スタートボタン１２の押下と同時にブレーキセンサ１３からのブレーキオン信号を検出すると、バッテリからの電力の供給状態がＪ１〜Ｊ３の何れの状態にあっても、エンジンスタート（Ｊ４）に切り替えるようになっている。
【００４０】
図１に戻り、パワーマネージメントＥＣＵ３０のＣＰＵ３１は、電源切替制御によって電力の供給状態がエンジンスタートに切り替えられると、ニュートラルスイッチ４３の状態に基づいて始動制御を開始できるか否かを判断し、始動制御を開始できると判断した場合、出力インタフェース回路３６を介してスタータモータ用リレースイッチ回路４２をオンにしてスタータモータ１１に通電し、クランキングホールド制御を実行するようになっている。
【００４１】
また、パワーマネージメントＥＣＵ３０のＣＰＵ３１は、ネットワークインタフェース回路３４および入力インタフェース回路３５から入力されるエンジン情報、エンジン回転数およびエンジン水温を表す信号、ならびに、ＲＯＭ３２に記憶された所定の水温マップに基づいて、エンジン１が完爆状態になったと判定すると、出力インタフェース回路３６を介してスタータモータ用リレースイッチ回路４２をオフにしてクランキングホールド制御を終了するようになっている。ここで、ＣＰＵ３１は、後述する完爆判定回転数にエンジン回転数が達すると、エンジン１が完爆したとみなして完爆状態であると判定するようになっている。
【００４２】
なお、パワーマネージメントＥＣＵ３０のＣＰＵ３１は、入力される各種信号に基づいてエンジンが完爆状態であるか否かを判定するとともにエンジンが完爆状態になるまでスタータモータ用リレースイッチ回路４２をオンにすることにより、本発明における完爆判定手段およびスタータモータ制御手段とを構成している。
【００４３】
また、パワーマネージメントＥＣＵ３０のＣＰＵ３１は、スタートボタン１２から出力されたオン状態を表す信号、および、エンジンＥＣＵ２０から出力されたエンジン回転数を表す信号を、入力インタフェース回路３５を介して検出することにより、本発明における操作検出手段および回転数検出手段を構成している。
【００４４】
また、パワーマネージメントＥＣＵ３０のＣＰＵ３１は、ネットワークインタフェース回路３４を介して、エンジンＥＣＵ２０から出力されるエンジン１のエンジン情報を取得し、エンジン水温を表す信号を検出することにより、本発明における情報取得手段および水温検出手段を構成している。
【００４５】
以上の構成を備えたパワーマネージメントＥＣＵ３０は、本発明に係る車両の始動制御装置を構成している。
【００４６】
図３は、本発明の実施の形態に係る車両の始動制御装置の水温マップであり、（ａ）はエンジン情報がＥＮＧ１の短押し用の水温マップであり、（ｂ）はエンジン情報がＥＮＧ２の短押し用の水温マップであり、（ｃ）はエンジン情報がＥＮＧ１の長押し用の水温マップであり、（ｄ）はエンジン情報がＥＮＧ２の長押し用の水温マップである。
【００４７】
図３に示すように、水温マップは、エンジン水温に対する完爆判定回転数ＮＥが定められたマップであり、この水温マップがＣＰＵ３１によって参照されることにより、エンジンが完爆したか否かを判定するために用いるエンジン回転数の閾値としての完爆判定回転数が定められる。
【００４８】
図３（ａ）および（ｂ）に示すように、短押し用の水温マップは、通常のクランキングホールド制御に用いる完爆判定回転数ＮＥがエンジン水温に対して定められたものである。一方、図３（ｃ）および（ｄ）に示すように、長押し用の水温マップは、粗悪燃料等によりエンジン１が完爆しづらい場合のクランキングホールド制御に用いる完爆判定回転数ＮＥが定められたものである。
【００４９】
この長押し用の水温マップは、同一のエンジン情報の短押し用の水温マップにおいて同一のエンジン水温に対して定められた完爆判定回転数よりも高い値がそれぞれ定められている。
【００５０】
パワーマネージメントＥＣＵ３０のＲＯＭ３２には、図３に示すものの他、その他のエンジン毎にそれぞれ適合する条件を満たす短押し用および長押し用の水温マップがあらかじめ記憶されている。
【００５１】
次に、動作について説明する。
【００５２】
図４は、本発明の実施の形態に係る車両の始動制御装置の動作を示すフローチャートであり、図５は、図４に続くフローチャートである。
【００５３】
なお、以下に説明する処理は、あらかじめパワーマネージメントＥＣＵ３０のＲＯＭ３２に記憶されているプログラムによって実現され、ＣＰＵ３１によって実行されるものとする。
【００５４】
図４に示すように、まず、ＣＰＵ３１は、スタートボタン１２の押下と同時にブレーキセンサ１３からのオン信号が検出されたか否かを判断する（ステップＳ１）。
【００５５】
ここで、スタートボタン１２の押下と同時にブレーキセンサ１３からのオン信号が検出されなければ、ＣＰＵ３１は処理を終了する。
【００５６】
一方、スタートボタン１２の押下と同時にブレーキセンサ１３からのオン信号が検出されれば、ＣＰＵ３１は、電力の供給状態をエンジンスタートに切り替え、エンジン１のクランキングを開始する（ステップＳ２）。すなわち、ＣＰＵ３１は、ニュートラルスイッチ４３がオン状態であればスタータモータ用リレースイッチ回路４２をオンにすることによりスタータモータ１１を駆動し、駆動されたスタータモータ１１は、出力軸１１ａを介してエンジン１内のクランク軸１ｃの動作を開始させる。
【００５７】
次に、ＣＰＵ３１は、ステップＳ１におけるスタートボタン１２の押下が、短押しか長押しかを判断する（ステップＳ３）。
【００５８】
ここで、スタートボタン１２が短押しされたと判断した場合、ＣＰＵ３１は、エンジンＥＣＵ２０から出力されるエンジン１のエンジン情報を、ネットワークインタフェース回路３４を介して取得する（ステップＳ４）。
【００５９】
次に、ＣＰＵ３１は、ステップＳ４で取得したエンジン情報に対応付けてＲＯＭ３２に記憶されている短押し用の水温マップを選択する（ステップＳ５）。例えば、ステップＳ４で取得したエンジン情報がＥＮＧ１を表す場合、図３（ａ）に示した水温マップを選択し、ステップＳ４で取得したエンジン情報がＥＮＧ２を表す場合、図３（ｂ）に示した水温マップを選択する。
【００６０】
次に、ＣＰＵ３１は、エンジンＥＣＵ２０から出力されるエンジン水温を表す信号をネットワークインタフェース回路３４を介して検出し、ステップＳ５で選択した水温マップにおいて、検出した信号が表すエンジン水温に対して定められた完爆判定回転数ＮＥを決定する（ステップＳ６）。例えば、エンジン情報がＥＮＧ１でエンジン水温が０℃であれば、図３（ａ）に示した水温マップを参照して完爆判定回転数ＮＥを７００ｒｐｍに決定し、エンジン情報がＥＮＧ２でエンジン水温が８０℃であれば、図３（ｂ）に示した水温マップを参照して完爆判定回転数ＮＥを４００ｒｐｍに決定する。このとき、エンジン１はこれから始動される状態にあるので、ステップＳ６において検出したエンジン水温は、本発明における、エンジン始動時に検出された冷却水温度である。
【００６１】
次に、ＣＰＵ３１は、エンジンＥＣＵ２０から出力されるエンジン回転数を表す信号を入力インタフェース回路３５を介して検出し（ステップＳ７）、検出した信号が表すエンジン回転数が、ステップＳ６で決定した完爆判定回転数ＮＥ以上であるか否かを判定する（ステップＳ８）。
【００６２】
ここで、エンジン回転数が完爆判定回転数ＮＥ未満であれば、ＣＰＵ３１は、再度ステップＳ７〜Ｓ８を実行する。
【００６３】
一方、エンジン回転数が完爆判定回転数ＮＥ以上であれば、ＣＰＵ３１は、エンジン１が完爆状態になったと判定してエンジン１のクランキングを終了する（ステップＳ９）。すなわち、ＣＰＵ３１は、スタータモータ用リレースイッチ回路４２をオフにすることによりスタータモータ１１を停止させる。
【００６４】
以上でステップＳ３で短押しされたと判断した場合の処理を終了する。
【００６５】
ステップＳ３において長押しされたと判断した場合のＣＰＵ３１の処理を図５を用いて説明する。
【００６６】
図５に示すように、スタートボタン１２が長押しされたと判断した場合、ＣＰＵ３１は、エンジンＥＣＵ２０から出力されるエンジン１のエンジン情報をネットワークインタフェース回路３４を介して取得する（ステップＳ１１）。
【００６７】
次に、ＣＰＵ３１は、ステップＳ１１で取得したエンジン情報に対応付けてＲＯＭ３２に記憶されている長押し用の水温マップを選択する（ステップＳ１２）。例えば、ステップＳ１１で取得したエンジン情報がＥＮＧ１を表す場合、図３（ｃ）に示した水温マップを選択し、ステップＳ１１で取得したエンジン情報がＥＮＧ２を表す場合、図３（ｄ）に示した水温マップを選択する。
【００６８】
次に、ＣＰＵ３１は、エンジンＥＣＵ２０から出力されるエンジン水温を表す信号をネットワークインタフェース回路３４を介して検出し、ステップＳ１２で選択した水温マップにおいて、検出した信号が表すエンジン水温に対して定められた完爆判定回転数ＮＥを決定する（ステップＳ１３）。例えば、エンジン情報がＥＮＧ１でエンジン水温が０℃であれば、図３（ｃ）に示した水温マップを参照して完爆判定回転数ＮＥを１２００ｒｐｍに決定し、エンジン情報がＥＮＧ２でエンジン水温が８０℃であれば、図３（ｄ）に示した水温マップを参照して完爆判定回転数ＮＥを８００ｒｐｍに決定する。
【００６９】
次に、ＣＰＵ３１は、エンジンＥＣＵ２０から出力されるエンジン回転数を表す信号を入力インタフェース回路３５を介して検出し（ステップＳ１４）、検出した信号が表すエンジン回転数が、ステップＳ１３で決定した完爆判定回転数ＮＥ以上であるか否かを判定する（ステップＳ１５）。
【００７０】
ここで、エンジン回転数が完爆判定回転数ＮＥ未満であれば、ＣＰＵ３１は、スタートボタン１２からの信号に基づいて、スタートボタン１２が解放されたか否かを判断する（ステップＳ１６）。
【００７１】
スタートボタン１２が解放されていないと判断した場合、ＣＰＵ３１は、再度ステップＳ１４〜Ｓ１６を実行する。
【００７２】
一方、ステップＳ１５でエンジン回転数が完爆判定回転数ＮＥ以上であると判断した場合、または、ステップＳ１６でスタートボタン１２が解放されたと判断した場合、ＣＰＵ３１は、エンジン１が完爆状態になったとしてエンジン１のクランキングを終了する（ステップＳ９）。すなわち、ＣＰＵ３１は、スタータモータ用リレースイッチ回路４２をオフにすることによりスタータモータ１１を停止させる。
【００７３】
以上のように、本実施の形態に係るパワーマネージメントＥＣＵ３０は、エンジン情報に対応付けてあらかじめ記憶した複数の水温マップのうち、車両に搭載されたエンジン１のエンジン情報に対応付けられた水温マップを用いて完爆の判定を行うので、異なるエンジンを搭載した各車両に対して共通して搭載することができる。
【００７４】
すなわち、本実施の形態に係るパワーマネージメントＥＣＵ３０は、クランキングホールド制御を実行する際に、エンジンＥＣＵ２０から取得したエンジン情報に応じて完爆判定に用いる水温マップを可変にすることにより、異なるエンジンに対して制御を動的に切り替えることができる。
【００７５】
また、本実施の形態に係るパワーマネージメントＥＣＵ３０は、異なるエンジンを搭載した車両に対して共通して搭載することができるので、エンジン毎に開発する必要がなく開発コストを削減することができるとともに、品質検査の作業を共通化して作業の負担を軽減することができる。
【００７６】
なお、本実施の形態において、本発明におけるエンジン始動用スイッチをプッシュ式のスタートボタン１２によって構成する例について説明したが、エンジン始動用スイッチは機械式のイグニッションスイッチであってもよい。
【００７７】
また、本実施の形態において、パワーマネージメントＥＣＵ３０は、スタートボタン１２が短押しおよび長押しされた場合にそれぞれ対応する水温マップを選択してクランキングホールド制御を行うものとして説明したが、エンジンＥＣＵ２０が長押し用の水温マップを記憶して長押し用のクランキングホールド制御を行い、パワーマネージメントＥＣＵ３０が短押し用の水温マップを記憶して短押し用のクランキングホールド制御を行うようにしてもよい。また、エンジンＥＣＵ２０が短押し用の水温マップを記憶して短押し用のクランキングホールド制御を行い、パワーマネージメントＥＣＵ３０が長押し用の水温マップを記憶して長押し用のクランキングホールド制御を行うようにしてもよい。
【００７８】
また、前述のように長押し用のクランキングホールド制御を行うパワーマネージメントＥＣＵ３０は、スタートボタンの長押しに応じたクランキングホールド制御が必要なスタートボタンを備える車両にのみ搭載し、スタートボタンを備えない車両には搭載しないといったように、運転者の好みや車両のグレードに応じてスタートボタンが備えられた車両にのみ、エンジンに依存せずに容易に搭載することができる。
【００７９】
以上説明したように、本発明に係る車両の始動制御装置は、異なるエンジンを搭載した各車両に対して共通して搭載することができ、クランキングホールド制御を行う車両の始動制御装置として有用である。
【図面の簡単な説明】
【００８０】
【図１】図１は、本発明の実施の形態に係る車両の始動制御装置を構成するパワーマネージメントＥＣＵを搭載した車両を模式的に示す概略構成図である。
【図２】図２は、本発明の実施の形態に係る電源切替制御を説明する状態遷移図である。
【図３】図３は、本発明の実施の形態に係る車両の始動制御装置の水温マップであり、（ａ）はエンジン情報がＥＮＧ１の短押し用の水温マップであり、（ｂ）はエンジン情報がＥＮＧ２の短押し用の水温マップであり、（ｃ）はエンジン情報がＥＮＧ１の長押し用の水温マップであり、（ｄ）はエンジン情報がＥＮＧ２の長押し用の水温マップである。
【図４】図４は、本発明の実施の形態に係る車両の始動制御装置の動作を示すフローチャートである。
【図５】図５は、図４に続くフローチャートである。
【符号の説明】
【００８１】
１  エンジン
１ｗ  フライホイル
１ｃ  クランク軸
１１  スタータモータ
１１ａ  出力軸
１２  スタートボタン（エンジン始動用スイッチ）
１２ａ  操作部
１２ｂ  接点部
１３  ブレーキセンサ
１４  回転数センサ
１５  水温センサ
２０  エンジンＥＣＵ
３０  パワーマネージメントＥＣＵ（始動制御装置）
３１  ＣＰＵ（操作検出手段、水温検出手段、回転数検出手段、完爆判定手段、スタータモータ制御手段、情報取得手段）
３２  ＲＯＭ（記憶手段）
３３  ＲＡＭ
３４  ネットワークインタフェース回路
３５  入力インタフェース回路
３６  出力インタフェース回路
４１  エンジンＥＣＵ用リレースイッチ回路
４２  スタータモータ用リレースイッチ回路
４３  ニュートラルスイッチ
【図１】
2008280869.tif 000003
【図２】
2008280869.tif 000004
【図３】
2008280869.tif 000005
【図４】
2008280869.tif 000006
【図５】
2008280869.tif 000007